【事件の表示】
　特願２０１４−１５９７７７「コンテンツ配信装置、コンテンツ配信方法、コンテンツ配信プログラム及び端末用プログラム」拒絶査定不服審判事件〔平成２７年　１月１５日出願公開、特開２０１５−　　７９８８〕について、次のとおり審決する。
【結　論】
　本件審判の請求は、成り立たない。
【理　由】
第１．手続の経緯
　本願は、平成２１年１２月１５日を出願日とする特願２００９−２８３９０８号の一部を、平成２５年７月１８日に新たな特許出願として出願した特願２０１３−１４９６２６号の一部を、平成２６年６月１１日に新たな特許出願として出願した特願２０１４−１２０８４６号の一部を、平成２６年８月５日に新たな特許出願として出願したものであって、平成２７年６月２６日付けで拒絶理由が通知され、平成２７年９月４日付けで手続補正がなされ、平成２８年２月２２日付けで拒絶査定がなされ、これに対し、同年５月３１日に拒絶査定不服審判の請求がなされ、同時に手続補正がなされたものである。
第２．平成２８年５月３１日付けの手続補正についての補正却下の決定
［補正却下の決定の結論］
　　平成２８年５月３１日付けの手続補正（以下、「本件補正」という。）を却下する。
　
［理由］
１．補正後の本願発明
　本件補正は、特許請求の範囲の請求項５を、
〈補正前の請求項５〉
「コンピュータで実現されユーザ端末に第１コンテンツを配信するコンテンツ配信装置から配信される端末用プログラムであって、前記ユーザ端末に、
　第２コンテンツ上の所定の基準位置が可視領域内に位置しているかを判断する判断ステップと、
　前記判断ステップによる判断の結果に基づいて、前記第２コンテンツにおける前記所定の基準位置を含む又はその付近の所定の表示領域に表示される第１コンテンツの再生を制御する制御ステップと、
　を実行させることを特徴とする端末用プログラム。」
から、
〈補正後の請求項５〉
「コンピュータで実現されユーザ端末に第１コンテンツを配信するコンテンツ配信装置から配信される端末用プログラムであって、前記ユーザ端末に、
　第２コンテンツ上の所定の基準位置が可視領域内に位置しているかを判断する判断ステップと、
　前記判断ステップによる判断の結果に基づいて、前記第２コンテンツにおける前記所定の基準位置を含む又はその付近の所定の表示領域に表示される第１コンテンツ
に対して開始命令または開始信号を送信することで前記第１コンテンツ
　を実行させることを特徴とする端末用プログラム。」
とする補正事項を含むものである。下線は、補正箇所を示す。
　上記補正事項は、補正前の請求項５に記載した発明を特定するために必要な事項である「第１コンテンツの再生を制御する」点について、「第１コンテンツに対して開始命令または開始信号を送信することで」と限定するものであって、補正前の請求項５に記載された発明と補正後の請求項５に記載された発明の産業上の利用分野及び解決しようとする課題が同一であるから、特許法第１７条の２第５項第２号の特許請求の範囲の減縮を目的とするものに該当する。
　また、特許法第１７条の２第３項、第４項に違反するところはない。　
　そこで、本件補正後の前記請求項５に記載された発明（以下、「本願補正発明」という。）が特許法第１７条の２第６項において準用する同法第１２６条第７項の規定に適合するか（特許出願の際独立して特許を受けることができるものであるか）について、以下に検討する。 
２．先願及び先願発明
（１）先願
　原査定の拒絶理由において、特許法第２９条の２の他の出願に該当するとして挙げられたＰＣＴ／ＫＲ２００９／００４６６１（以下、「先願」という。）は、２００９年（平成２１年）８月２１日に国際出願され、２０１０年（平成２２年）１１月４日に国際公開第２０１０／１２６２０５号として国際公開されたものであり、指定国として日本国を含み、特許法第１８４条の４第１項に規定する翻訳文が提出されたものである。
（２）先願発明
　先願である国際特許出願の国際出願日における明細書、請求の範囲又は図面（以下、「先願明細書等」という。）には、図面とともに、次のア〜エの記載がある。なお、記載は、先願明細書等の日本語翻訳文である特表２０１２−５２５６２４号公報（以下、「公表公報」という。）を参照して、翻訳文で示した。下線は、注目箇所に当審で付与した。
ア 
「[17]本発明の好ましい一実施形態によれば、クライアント、ウェブサーバおよび広告サーバを含むオンライン広告提供システムにおいて、前記広告サーバによって遂行されるオンライン広告提供方法であって、予め設定された広告提供条件情報を提供し、前記広告提供条件情報に相応する広告提供要請情報を受信するステップ（ａ）−前記広告提供条件情報は前記オンライン広告が提供される複数のウェブサイト情報を含む−；前記広告提供条件情報および前記広告提供要請情報を利用して前記複数のウェブサイトに対する広告提供率を計算するステップ（ｂ）；および前記クライアントから広告データ転送要請が受信される場合、前記広告提供率に応じて前記クライアントに広告データを転送するステップ（ｃ）を含み、
前記クライアントから受信される広告データ転送要請は、前記クライアントが、前記ウェブサーバから受信したウェブ文書に含まれた広告露出位置情報を抽出し、前記抽出された広告露出位置情報と前記ウェブ文書が表示されるウェブブラウザのスクロール・バー位置情報を利用して、前記スクロール・バー位置情報が前記広告露出位置情報に相応する場合に前記広告サーバから受信する
イ
「[75]図１は、本発明の好ましい一実施形態によるスクロール・バーの位置情報を利用した複数のオンライン広告提供方法が適用されるシステムを構成する要素を概念的に示す図である。
[76]図１に示すように、本発明の好ましい一実施形態による
オンライン広告の提供方法が適用されるシステムは、ユーザ１００、ウェブサイト（ｗｅｂ  ｓｉｔｅ）１１０、広告サーバ１２０および広告主１３０を含むことができる。
[77]図１においては、
概念的にユーザ１００として示したが、ユーザ１００、ウェブサイト１１０および広告主１３０は、クライアント（ｃｌｉｅｎｔ）、サーバ（ｓｅｒｖｅｒ）のような装置を示し得る
[78]例えば、
ユーザ１００は受信したウェブ文書と広告データを閲覧する者であり、且つ、ユーザパーソナルコンピューター（ＰＣ）
[79]以下では、説明の便宜のため、
ユーザ１００とそのユーザが用いる装置を区分せず、ユーザ１００と命名することにする。
[80]一方、
ユーザ１００は、通信網１４０を通じてウェブサイト１１０と広告サーバ１２０に連結され、ウェブサイト１１０から提供されるウェブページのようなウェブ文書、および広告サーバ１２０から提供される広告データを受信する
[81]ユーザ１００、より好ましくはユーザ１００の装置には、
ウェブサイト１１０に接続できるようにするウェブブラウザ（ｗｅｂ  ｂｒｏｗｓｅｒ）（図示せず）と広告データを再生できるアプリケーション（ａｐｐｌｉｃａｔｉｏｎ）（図示せず）とが含まれることができ、このようなウェブブラウザとアプリケーションは、ユーザ１００の装置にプログラムの形態で設置される
[82]このような
ユーザ１００の装置は、通信機能を備えてウェブサイト１１０と広告サーバ１２０に接続されることができ、受信した広告データを再生できるプログラムの設置が可能であり、再生される広告データが出力されるディスプレイ画面を含む装置
[83]一方、本発明における
広告データは、
動画
ウ
「[150]一方、
広告露出位置情報の抽出およびスクロール・バー位置情報との比較をクライアント１００において行われる場合、クライアント１００には、このような機能を遂行するための広告モジュール（図示せず）が設置されることができ、このような広告モジュールは、ウェブサーバ１１６が提供するウェブページからオブジェクトタグ（Ｏｂｊｅｃｔ  Ｔａｇ）を通じて自動でクライアント１００にダウンロードされる
ＡｃｔｉｖｅＸコントロール（ＡｃｔｉｖｅＸ  Ｃｏｎｔｒｏｌ）形態で設置される
[151]また、
広告モジュール（図示せず）は、ウェブブラウザで動作できるスクリプト（ｓｃｒｉｐｔ）の形態でクライアントに提供することも可能
エ
「[156]図６は、前述した本発明の実施形態中、
クライアント１００において、広告露出位置情報およびウェブブラウザのスクロール・バー位置情報を抽出し、広告サーバへは広告データだけを要請する場合
[157]図６に示すように、先ず、
ウェブサイト１１０を通じて提供されるウェブ文書がクライアント１００に受信される
[158]
受信したウェブページの一部または全部が、クライアント１００に設置されたウェブブラウザの画面を通じて提供される
[159]このように
受信したウェブページ内で広告が露出されるようにする位置情報を抽出する
[160]一方、
ユーザは、ウェブブラウザから提供されるユーザインターフェースにおいて、スクロール・バーを利用してウェブページを上下または左右に移動しながら、ウェブページ内の内容を確認するようになれば、スクロール・バーの位置情報が、好ましくは、本発明によるクライアント１００に設置される広告モジュールに入力される
[161]一方、
広告モジュールはスクリプトの形態で提供されるか、別途のプログラムとしてＡｃｔｉｖｅＸコントロール（ＡｃｔｉｖｅＸ  Ｃｏｎｔｒｏｌ）形態で設置される
[162]また、
入力されるスクロール・バーの位置情報が予め設定された位置、すなわち、タグが存在するウェブページ内の位置にスクロール・バーが位置するか否かを判断し（Ｓ６０６）、タグが存在するウェブページ内の位置にスクロール・バーが位置する場合、ウェブページに含まれたタグによって、広告サーバ１２０に広告データを要請する
[163]一方、タグによって、広告サーバ１２０に広告データを要請することは、
タグが存在するウェブページ内の位置にスクロール・バーが位置する場合だけでなく、ウェブページ内でタグが存在する部分がウェブブラウザの画面に露出される場合にも行われることができる。
[164]例えば、
ウェブページ内でタグが存在する部分、すなわち、広告露出位置を含むウェブページの一部がスクロール・バーの移動によって露出される場合に広告が提供されるようにするか、スクロール・バーの位置が正確に広告露出位置と一致する場合にだけ広告が提供されるようにすることが可能である。
[165]このような
広告露出位置情報は、タグが挿入されたウェブページ内の位置情報として、ウェブページ内のタグが挿入された座標の情報であるか、またはウェブページ内のタグが挿入されたイメージやテキストのピクセルの位置情報（横ピクセルまたは／そして縦ピクセル）、より好ましくは、ピクセルの座標値情報を含む情報であってもよい。
[166]一方、
広告サーバ１２０は、予め設定された広告データを転送することによって、広告データがクライアント１００のディスプレイ画面に表示されて再生されるようにする。
[167]また、スクロール・バーの位置が、
タグが存在するウェブページ内の位置から脱した場合、広告サーバ１２０における広告データの転送を中断するか、広告データの再生を中断する
[168]例えば、ユーザがウェブページをスクロール（ｓｃｒｏｌｌ）する間に、広告が提供される部分がウェブブラウザの画面から脱した場合、広告がこれ以上ユーザに提供されないようにする。
[169]こ
のような広告データの転送および再生の中断は、
クライアント１００における広告データ再生の中断など、多様な方法で実施可能である
[170]一方、
ウェブページ内の広告は、広告が動画の形態で提供される場合、動画の停止画面またはイメージで提供され、スクロール・バーの位置に応じて動画が再生されるようにすることができる。
[171]また、ウェブページ内のテキスト形態で提供され、スクロール・バーの位置に応じてイメージや動画が再生されるようにすることもでき、ウェブページ内に何の表示も提供しないが、スクロール・バーの位置に応じてテキストやイメージまたは動画が表示または再生されるように構成することも可能であるということは明らかである。
[172]また、このような広告の再生は、ウェブページ内の一定領域における再生や、ウェブページの他にポップアップ（ｐｏｐ−ｕｐ）ウィンドウのような別途のウィンドウを通じて提供するなどの多様な形態で実施可能である。
[173]また、広告の再生は、前述したように、イメージやテキストの表示または動画や音声の再生などを全て含むことができるということは前述した通りである。
[174]また、このようなイメージやテキストがウェブページに含まれて提供される場合、
該当イメージやテキストの広告データの再生がなされるようにするピクセルの位置情報が広告露出位置情報に含まれることができる
[175]
[176] このような本発明の好ましい一実施形態による複数のオンライン広告提供を可能にするスクロール・バーの位置情報を利用したオンライン広告提供方法が実現される順序を図７の例示を通じて詳細に説明する。
[177]図７は、本発明の好ましい一実施形態による複数のオンライン広告提供を可能にするスクロール・バーの位置情報を利用したオンライン広告提供方法が実現される順序を例示によって示す例示図である。
[178]図７に例示したように、ステップ７００において、ウェブブラウザの画面を通じてユーザが最初に接する画面はウェブサーバを通じて受信したウェブページであり、図７に例示したように、
広告露出位置７１０は全体ウェブページ７００内に含まれ、予め設定されている。
[179]ステップ７０２のように、
ユーザが、ウェブページ７００を、スクロール・バーを利用して上下または左右に移動しながら、該当ウェブページ７００を見る
[180]ステップ７０４において、ユーザが見るウェブページ、すなわち、
ユーザに露出されるウェブページ内に広告が露出される位置７１０、すなわち、タグが挿入された部分がウェブブラウザの画面でユーザに露出される場合に、広告がユーザに露出される
[181]このような広告がユーザに表示されることは、図７では該当広告が大きく表示されるものとして例示したが、広告が提供される方法に特に制限はない。
[182]一方、タグが挿入された部分、すなわち、広告露出位置がウェブブラウザの画面でユーザに露出されることは、スクロール・バーが、タグが挿入された部分に位置する場合だけでなく、前述したように、
組み込みオブジェクトのタグが挿入された部分がウェブブラウザの画面でユーザに露出される場合も可能である
[183]ステップ７０６でユーザが見るウェブページにおいて、広告露出位置がユーザに表示されるウェブページから無くなると、広告露出が中断される。
[184]勿論、ステップ７０６のような、ユーザが見るウェブページから広告露出位置が無くなると広告露出が中断されることは、広告が含まれる部分がウェブページ内の最端部に位置するか、ウェブページ内における広告露出方法などの設定によって含まれないこともあり得るということは明らかである。
[185]図７に例示したように、本発明によるスクロール・バーの位置情報を利用した広告提供方法によれば、ユーザがウェブページを見ている間、ユーザに該当ウェブページ部分が露出されるか、スクロール・バーが位置する場合にのみ広告が提供されるので、ユーザの広告に対する興味を高めることができる。
[186]それのみならず、ユーザがウェブページを見ている場合にのみ広告が露出されるので、広告効果の測定も容易に行うことができる。」（段落[156]〜[186]、公表公報の段落【０１３１】〜【０１６０】）
ａ　
　上記イの段落[75]、[76]、[79]、[80]の記載によれば、ユーザ１００（クライアント）は、ウェブサイトと広告サーバとに通信網を通じて連結され、ウェブサイトからウェブページを受信し、広告サーバから広告データを受信するものであり、また、上記ウによれば、クライアント１００には、広告露出位置情報の抽出およびスクロール・バー位置情報との比較を行うための広告モジュールが設置され、当該広告モジュールは、ウェブサーバが提供するウェブページからオブジェクトタグを通じて自動でダウンロードされ、ＡｃｔｉｖｅＸコントロールやウェブブラウザで動作できるスクリプトであるから、先願明細書等には、
「クライアントは、ウェブサイトと広告サーバとに通信網を通じて連結され、ウェブサイトからウェブページを受信し、広告サーバから広告データを受信するものであり、
　クライアントで動作し、ウェブササイトが提供するウェブページを通じて自動でダウンロードされるＡｃｔｉｖｅＸコントロールやウェブブラウザで動作できるスクリプトからなる広告モジュールであって、
　広告露出位置情報の抽出およびスクロール・バー位置情報との比較を行う、
広告モジュール。」が記載されている。
ｂ
　上記エの段落[156]〜[162]、[179]の記載によれば、上記ａの「広告モジュール」は、「クライアントにおいて、ウェブサイトからウェブページを受信し、ユーザがスクロール・バーを利用してウェブページを上下、左右に移動すると、スクロール・バーの位置情報が入力され、入力されたスクロール・バーの位置情報が予め設定されたタグが存在するウェブページ内の位置にスクロール・バーが位置するか否かを判断し、タグが存在するウェブページ内の位置にスクロール・バーが位置する場合、ウェブページに含まれたタグによって、広告サーバに広告データを要請する」ものである。
　また、上記エの段落[163]、[182]の記載によれば、上記の「スクロール・バーが位置するか否かの判断」は、スクロール・バーの位置ではなく、ウェブページ内でタグが存在する部分がウェブブラウザの画面に露出される場合でもよいから、上記ａの「広告モジュール」は、「クライアントにおいて、ウェブサイトからウェブページを受信し、ユーザがスクロール・バーを利用してウェブページを上下、左右に移動すると、ウェブページ内でタグが存在する部分が、ウェブブラウザの画面に露出されるか否かを判断し、ウェブページ内でタグが存在する部分がウェブブラウザの画面に露出される場合、ウェブページに含まれたタグによって、広告サーバに広告データを要請する」ものである。
　また、上記エの段落[164]、[165]、[174]の記載によれば、上記のウェブページのタグが存在する部分は、広告露出位置のことであり、広告露出位置情報は、ウェブページ内のタグが挿入されたイメージやテキストのピクセルの座標値情報を含むから、上記の「広告モジュール」は、「クライアントにおいて、ウェブサイトからウェブページを受信し、ユーザがスクロール・バーを利用してウェブページを上下、左右に移動すると、ウェブページ内でタグが存在するイメージやテキストのピクセルの座標値情報を含む広告露出位置情報が、ウェブブラウザの画面に露出されるか否かを判断し、広告露出位置情報がウェブブラウザの画面に露出される場合、ウェブページに含まれたタグによって、広告サーバに広告データを要請する」ものである
ｃ
　上記エの段落[166]の記載によれば、上記ａの「広告モジュール」は、ウェブページに含まれたタグによって、広告サーバに広告データを要請し、上記ａの「広告サーバ」は、広告データを転送することによって、広告データがクライアントのディスプレイ画面に表示されて再生されるようにするものである。
　また、上記エの段落[180]の記載によれば、タグが挿入された部分は、ユーザに露出されるウェブページ内の広告が露出される位置である。
　したがって、上記ａの「広告モジュール」は、「ウェブページに含まれたタグによって、広告サーバに広告データを要請し、広告サーバからの広告データの転送を受け、広告データがクライアントのウェブページ内のタグが挿入された部分に露出されるよう表示再生する」ものである。
ｄ
　上記エの段落[170]の記載によれば、ウェブページ内の広告は、動画の停止画面で提供され、スクロール・バーの位置に応じて動画が再生されるようにしてもよいものである。
ｅ
　以上ａ〜ｄによれば、先願明細書等には、
「クライアントは、ウェブサイトと広告サーバとに通信網を通じて連結され、ウェブサイトからウェブページを受信し、広告サーバから広告データを受信するものであり、
　クライアントで動作し、ウェブササイトが提供するウェブページを通じて自動でダウンロードされるＡｃｔｉｖｅＸコントロールやウェブブラウザで動作できるスクリプトからなる広告モジュールであって、
　クライアントにおいて、ウェブサイトからウェブページを受信し、ユーザがスクロール・バーを利用してウェブページを上下、左右に移動すると、
　前記広告モジュールは、スクロール・バーの移動により、ウェブページ内でタグが存在するイメージやテキストのピクセルの座標値情報を含む広告露出位置情報が、ウェブブラウザの画面に露出されるか否かを判断し、広告露出位置情報がウェブブラウザの画面に露出される場合、ウェブページに含まれたタグによって、広告サーバに広告データを要請し、
　広告サーバからの広告データの転送を受け、広告データがクライアントのウェブページ内のタグが挿入された部分に露出されるよう表示再生し、
　ウェブページ内の広告は、動画の停止画面で提供され、スクロール・バーの位置に応じて動画が再生されるようにしてもよい、
　広告モジュール。」の発明（以下、「先願発明」という。）が記載されている。
３．　対比・判断
　本願発明と先願発明とを対比する。
（１）先願発明の「クライアント」は、本願補正発明の「ユーザ端末」に相当する。
（２）先願発明の「ウェブページ」、「広告データ」は、それぞれ、本願補正発明の「第２コンテンツ」、「第１コンテンツ」に相当する。
（３）先願発明の「ウェブサイト」と「広告サーバ」とが協働したものが、本願補正発明の「コンテンツ配信装置」に相当する。
（４）先願発明の「クライアントで動作し、ウェブサイトが提供するウェブページを通じて自動でダウンロードされるＡｃｔｉｖｅＸコントロールやウェブブラウザで動作できるスクリプトからなる広告モジュール」は、本願補正発明の「コンピュータで実現されユーザ端末に第１コンテンツを配信するコンテンツ配信装置から配信される端末用プログラム」に相当する。
（５）先願発明の「ウェブページ内でタグが存在するイメージやテキストのピクセルの座標値情報を含む広告露出位置情報」は、本願補正発明の「第２コンテンツ上の所定の基準位置」に相当し、先願発明の「前記広告モジュールは、スクロール・バーの移動により、ウェブページ内でタグが存在するイメージやテキストのピクセルの座標値情報を含む広告露出位置情報が、ウェブブラウザの画面に露出されるか否かを判断」することは、本願補正発明の「第２コンテンツ上の所定の基準位置が可視領域内に位置しているかを判断するステップ」に相当するといえる。
（６）先願発明の「広告露出位置情報がウェブブラウザの画面に露出される場合」、「広告データがクライアントのウェブページ内のタグが挿入された部分に露出されるよう表示再生」することは、本願補正発明の「前記判断ステップによる判断の結果に基づいて、前記第２コンテンツにおける前記所定の基準位置を含む又はその付近の所定の表示領域に表示される」「第１コンテンツの再生を制御する制御ステップ」に相当するといえる。
　また、先願発明の「ウェブページ内の広告は、動画の停止画面で提供され、スクロール・バーの位置に応じて動画が再生されるようにしてもよい」ことは、広告データに対して「開始命令または開始信号の送信することで第１コンテンツの再生を制御する」ともいい得るものである。
　したがって、先願発明の「広告露出位置情報がウェブブラウザの画面に露出される場合、ウェブページに含まれたタグによって、広告サーバに広告データを要請し、広告サーバからの広告データの転送を受け、広告データがクライアントのウェブページ内のタグが挿入された部分に露出されるよう表示再生し、ウェブページ内の広告は、動画の停止画面で提供され、スクロール・バーの位置に応じて動画が再生されるようにしてもよい」ことは、本願補正発明の「前記判断ステップによる判断の結果に基づいて、前記第２コンテンツにおける前記所定の基準位置を含む又はその付近の所定の表示領域に表示される第１コンテンツに対して開始命令または開始信号を送信することで前記第１コンテンツの再生を制御する制御ステップ」に相当するといえる。
（７）上記（１）〜（６）によれば、本願発明と先願発明との間に相違はなく、本願補正発明は先願発明と同一である。
４．むすび
　以上のとおり、本願補正発明は、本願出願日（２００９年（平成２１年）１２月１５日）より前を出願日２００９年（平成２１年）８月２１日とする外国語でされた国際特許出願（ＰＣＴ／ＫＲ２００９／００４６６１）であって、本願出願日後の２０１０年（平成２２年）１１月４日に国際公開（国際公開第２０１０／１２６２０５号）され、その後、特許法第１８４条の４第１項に規定する翻訳文が提出された国際特許出願の国際出願日における明細書、請求の範囲又は図面に記載された発明と同一であり、しかも、この出願の発明者が上記国際特許出願に係る上記の発明をした者と同一ではなく、またこの出願の時において、その出願人が上記国際特許出願の出願人と同一でもないので、特許法第１８４条の１３で読み替えて適用する特許法第２９条の２の規定により、特許出願の際独立して特許を受けることができない。
　したがって、本件補正は、特許法第１７条の２第６項の規定により準用する特許法第１２６条第７項の規定に違反するものであり、特許法第１５９条第１項において準用する同法第５３条第１項の規定により却下されるべきものである。
第３．本願発明について
１．本願発明
　平成２８年５月３１日付けの手続補正は上記のとおり却下されたので、本願の請求項５に係る発明（以下、「本願発明」という。）は、平成２７年９月４日付けの手続補正書により補正された特許請求の範囲の請求項５に記載された事項により特定される、以下のとおりのものである。
「コンピュータで実現されユーザ端末に第１コンテンツを配信するコンテンツ配信装置から配信される端末用プログラムであって、前記ユーザ端末に、
　第２コンテンツ上の所定の基準位置が可視領域内に位置しているかを判断する判断ステップと、
　前記判断ステップによる判断の結果に基づいて、前記第２コンテンツにおける前記所定の基準位置を含む又はその付近の所定の表示領域に表示される第１コンテンツの再生を制御する制御ステップと、
　を実行させることを特徴とする端末用プログラム。」
２．先願発明
　先願発明は、上記「第２．」の「２．（２）先願発明」の欄に記載したとおりである。
３．対比・判断
　本願発明は、上記「第２」で検討した本願補正発明から「第１コンテンツの再生を制御する」点について、「第１コンテンツに対して開始命令または開始信号を送信することで」との構成を省いたものである。
　そうすると、本願発明の構成要件をすべて含み、構成要件を付加したものに相当する本願補正発明が、前記「第２」の「３．」ないし「４．」に記載したとおり、先願発明と同一であるから、本願発明も、同様の理由により、先願発明と同一である。
４．むすび
  本願発明は、本願出願日（２００９年（平成２１年）１２月１５日）より前を出願日２００９年（平成２１年）８月２１日とする外国語でされた国際特許出願（ＰＣＴ／ＫＲ２００９／００４６６１）であって、本願出願日後の２０１０年（平成２２年）１１月４日に国際公開（国際公開第２０１０／１２６２０５号）され、その後、特許法第１８４条の４第１項に規定する翻訳文が提出された国際特許出願の国際出願日における明細書、請求の範囲又は図面に記載された発明と同一であり、しかも、この出願の発明者が上記国際特許出願に係る上記の発明をした者と同一ではなく、またこの出願の時において、その出願人が上記国際特許出願の出願人と同一でもないので、特許法第１８４条の１３で読み替えて適用する特許法第２９条の２の規定により、特許を受けることができない。
　したがって、本願は、他の請求項について検討するまでもなく、拒絶されるべきものである。 
　よって、結論のとおり審決する。